(57)【要約】【課題】支柱を所望傾倒位置に保持する際、必要な保持力を容易に確保することが可能な顕微鏡用架台及びその架台を備えた顕微鏡を提供することを目的とし、更に、前記支柱の傾倒操作に際し、小さな力で容易に傾倒操作することが可能な顕微鏡用架台及びその架台を備えた顕微鏡を提供することを目的とする。【解決手段】光学系ユニットを設ける支柱を支持軸の廻りに回動自在に支持すると共に、所望の位置に傾倒させた状態で保持する顕微鏡用架台及びその架台を備えた顕微鏡。顕微鏡用架台３は、支持軸３ｂよりも直径が大きい内周面４５ａを有する第一の回動規制部材４５と、支持軸よりも直径が大きく、内周面と圧接されて支柱の回動を規制する外周面を有する第二の回動規制部材５２と、第一の回動規制部材又は第二の回動規制部材を拡縮させて内周面と外周面とを圧接又は離間させる操作を行う操作部材とを備えている。【選択図】図４
2011154137.tif 000002
【特許請求の範囲】
【請求項１】
少なくとも対物レンズと接眼レンズとを有する光学系ユニットを備えた顕微鏡の一部をなし、前記光学系ユニットを設ける支柱を支持軸の廻りに回動自在に支持すると共に、所望の位置に傾倒させた状態で保持する顕微鏡用架台であって、
リング状に成形されて前記支柱と一体に回動し、前記支持軸よりも直径が大きい内周面を有する第一の回動規制部材と、
リング状に成形されて前記第一の回動規制部材と前記支持軸との間に配置され、前記支持軸よりも直径が大きく、前記内周面と圧接されて前記支柱の回動を規制する外周面を有する第二の回動規制部材と、
前記第一の回動規制部材又は前記第二の回動規制部材を拡縮させて前記内周面と前記外周面とを圧接又は離間させる操作を行う操作部材と、
を備えたことを特徴とする顕微鏡用架台。
【請求項２】
前記第二の回動規制部材は、端面形状がＣ字状に成形され、前記操作部材の圧接操作により外方へ拡開されることを特徴とする請求項１に記載の顕微鏡用架台。
【請求項３】
前記第二の回動規制部材は、前記端面形状をＣ字状に成形するスリットを挟む一方に固定部が形成されると共に、他方に前記操作部材による操作力の入力部が形成されており、
前記操作部材は、回動操作される切替ハンドルと、前記切替ハンドルの回動中心と中心が同軸をなし、前記切替ハンドルの回動操作に伴う回転力を前記第二の回動規制部材に伝えるねじ軸とを有することを特徴とする請求項２に記載の顕微鏡用架台。
【請求項４】
前記操作部材は、前記切替ハンドルの回動操作に伴う前記ねじ軸の回転を直線運動に変換する変換部材によって前記第二の回動規制部材と連結されており、
前記変換部材又は前記第二の回動規制部材の一方は、前記変換部材の圧接方向に対応した直線運動に対して当該第二の回動規制部材を拡縮させる方向に傾斜した長孔が前記変換部材と前記第二の回動規制部材との連結部に形成され、
前記変換部材又は前記第二の回動規制部材の他方は、前記長孔に係合して前記変換部材と前記第二の回動規制部材とを連結すると共に、前記変換部材の直線運動による前記長孔内の移動によって前記第二の回動規制部材を拡縮させる連結ピンが設けられている
ことを特徴とする請求項３に記載の顕微鏡用架台。
【請求項５】
少なくとも対物レンズと接眼レンズとを有する光学系ユニットを備えた顕微鏡の一部をなし、前記光学系ユニットを設ける支柱を支持軸の廻りに回動自在に支持すると共に、所望の位置に傾倒させた状態で保持する顕微鏡用架台であって、
リング状に成形されて前記支柱と一体に回動し、前記支持軸よりも直径が大きい内周面を有する第一の回動規制部材と、
リング状に成形されて前記第一の回動規制部材と前記支持軸との間に配置され、前記支持軸よりも直径が大きく、前記内周面と圧接されて前記支柱の回動を規制する外周面を有する第二の回動規制部材と、
前記第一の回動規制部材又は前記第二の回動規制部材を拡縮させて前記内周面と前記外周面とを圧接又は離間させる操作を行う操作部材と、
前記支柱を傾倒させた際に当該支柱の前記支持軸の廻りに作用する傾倒方向の応力のモーメントに対して逆方向の反力のモーメントを当該支柱に付与する反力部材と、
を備えることを特徴とする顕微鏡用架台。
【請求項６】
前記反力部材は、前記支柱と前記顕微鏡用架台との間に掛け渡される引っ張りばねであることを特徴とする請求項５に記載の顕微鏡用架台。
【請求項７】
前記第二の回動規制部材は、端面形状がＣ字状に成形され、前記操作部材の圧接操作により外方へ拡開されることを特徴とする請求項６に記載の顕微鏡用架台。
【請求項８】
前記第二の回動規制部材は、前記端面形状をＣ字状に成形するスリットを挟む一方に固定部が形成されると共に、他方に前記操作部材による操作力の入力部が形成されており、
前記操作部材は、回動操作される切替ハンドルと、前記切替ハンドルの回動中心と中心が同軸をなし、前記切替ハンドルの回動操作に伴う回転力を前記第二の回動規制部材に伝えるねじ軸とを有することを特徴とする請求項７に記載の顕微鏡用架台。
【請求項９】
前記操作部材は、前記切替ハンドルの回動操作に伴う前記ねじ軸の回転を直線運動に変換する変換部材によって前記第二の回動規制部材と連結されており、
前記変換部材又は前記第二の回動規制部材の一方は、前記変換部材の圧接方向に対応した直線運動に対して当該第二の回動規制部材を拡縮させる方向に傾斜した長孔が前記変換部材と前記第二の回動規制部材との連結部に形成され、
前記変換部材又は前記第二の回動規制部材の他方は、前記長孔に係合して前記変換部材と前記第二の回動規制部材とを連結すると共に、前記変換部材の直線運動による前記長孔内の移動によって前記第二の回動規制部材を拡縮させる連結ピンが設けられている
ことを特徴とする請求項８に記載の顕微鏡用架台。
【請求項１０】
少なくとも対物レンズと接眼レンズとを有する光学系ユニットを備えた顕微鏡の一部をなし、前記光学系ユニットを設ける支柱を支持軸の廻りに回動自在に支持すると共に、所望の位置に傾倒させた状態で保持する顕微鏡用架台であって、
前記支柱を傾倒させた際に当該支柱の前記支持軸の廻りに作用する傾倒方向の応力のモーメントに対して逆方向の反力のモーメントを当該支柱に付与する反力部材を備えることを特徴とする顕微鏡用架台。
【請求項１１】
請求項１〜１０のいずれか一つに記載の顕微鏡用架台と、前記顕微鏡用架台に支持される支柱と、前記支柱に設けられる前記光学系ユニットとを備えたことを特徴とする顕微鏡。
【発明の詳細な説明】
【技術分野】
【０００１】
本発明は、少なくとも対物レンズと接眼レンズとを有する光学系ユニットを設けた支柱を所望の位置に傾倒させて所望の傾倒角度から試料を観察することを可能とした顕微鏡用架台及びその架台を備えた顕微鏡に関する。
【背景技術】
【０００２】
従来、顕微鏡の光学系ユニット、例えば、観察光学系ユニットにおいては、異なる角度から試料を観察することを可能とするため、カメラを取り付けた支柱の下端を架台の軸周りに回動自在とする技術が知られている（例えば、特許文献１参照）。この顕微鏡は、支柱を架台に対して所望の傾倒位置に保持することにより、カメラの光軸を試料に対して傾斜させ、試料面に対して直交する角度以外の角度から試料を観察できるようにしたものである。
【０００３】
特許文献１に開示された顕微鏡は、支柱にカメラ等の観察光学系ユニットが支持されていることから支柱が重く、所望の傾倒位置に保持するのに大きな保持力が必要になる。このため、特許文献１の顕微鏡は、支柱を所望の傾倒位置に保持する回動ロック解錠部材を備えている。
【先行技術文献】
【特許文献】
【０００４】
【特許文献１】特開２００６−３３７４７１号公報
【発明の概要】
【発明が解決しようとする課題】
【０００５】
ところで、上記回動ロック解錠部材は、支柱を回動自在に支持する軸を外周から把持して摩擦力によって拘束することで支柱を所望傾倒位置に保持するものであり、軸の拘束を解放することによって、支柱の傾倒操作が可能となる。このとき、軸を拘束する摩擦力は、拘束される部分の軸の長さが等しければ軸の直径に比例する。このため、特許文献１の顕微鏡は、軸の直径が小さいと拘束に必要な摩擦力を確保することができないことから、拘束される部分の軸の長さを延ばさなければならず、架台が大型化するという問題があった。
【０００６】
また、特許文献１の顕微鏡は、支柱が重いことから、傾倒操作に大きな力を必要とするという問題があった。
【０００７】
本発明は、上記に鑑みてなされたものであって、支柱を所望傾倒位置に保持する際、大型化することなく必要な保持力を確保することが可能な顕微鏡用架台及びその架台を備えた顕微鏡を提供することを目的とする。
【０００８】
また、本発明は、支柱を小さな力で容易に傾倒操作することが可能な顕微鏡用架台及びその架台を備えた顕微鏡を提供することを目的とする。
【課題を解決するための手段】
【０００９】
上述した課題を解決し、目的を達成するために、本発明の顕微鏡用架台は、少なくとも対物レンズと接眼レンズとを有する光学系ユニットを備えた顕微鏡の一部をなし、前記光学系ユニットを設ける支柱を支持軸の廻りに回動自在に支持すると共に、所望の位置に傾倒させた状態で保持する顕微鏡用架台であって、リング状に成形されて前記支柱と一体に回動し、前記支持軸よりも直径が大きい内周面を有する第一の回動規制部材と、リング状に成形されて前記第一の回動規制部材と前記支持軸との間に配置され、前記支持軸よりも直径が大きく、前記内周面と圧接されて前記支柱の回動を規制する外周面を有する第二の回動規制部材と、前記第一の回動規制部材又は前記第二の回動規制部材を拡縮させて前記内周面と前記外周面とを圧接又は離間させる操作を行う操作部材と、を備えたことを特徴とする。
【００１０】
また、本発明の顕微鏡用架台は、上記の発明において、前記第二の回動規制部材は、端面形状がＣ字状に成形され、前記操作部材の圧接操作により外方へ拡開されて前記外周面が前記第一の回動規制部材の内周面に圧接することを特徴とする。
【００１１】
また、本発明の顕微鏡用架台は、上記の発明において、前記第二の回動規制部材は、前記端面形状をＣ字状に成形するスリットを挟む一方に固定部が形成され、他方に前記操作部材による操作力の入力部が形成されており、前記操作部材は、回動操作される切替ハンドルと、前記切替ハンドルの回動中心と中心が同軸をなし、前記切替ハンドルの回動操作に伴う回転力を前記第二の回動規制部材に伝えるねじ軸とを有することを特徴とする。
【００１２】
また、本発明の顕微鏡用架台は、上記の発明において、前記操作部材は、前記切替ハンドルの回動操作に伴う前記ねじ軸の回転を直線運動に変換する変換部材によって前記第二の回動規制部材と連結されており、前記変換部材又は前記第二の回動規制部材の一方は、前記変換部材の圧接方向に対応した直線運動に対して当該第二の回動規制部材を拡縮させる方向に傾斜した長孔が前記変換部材と前記第二の回動規制部材との連結部に形成され、前記変換部材又は前記第二の回動規制部材の他方は、前記長孔に係合して前記変換部材と前記第二の回動規制部材とを連結すると共に、前記変換部材の直線運動による前記長孔内の移動によって前記第二の回動規制部材を拡縮させる連結ピンが設けられていることを特徴とする。
【００１３】
また、上述した課題を解決し、目的を達成するために、本発明の顕微鏡用架台は、なくとも対物レンズと接眼レンズとを有する光学系ユニットを備えた顕微鏡の一部をなし、前記光学系ユニットを設ける支柱を支持軸の廻りに回動自在に支持すると共に、所望の位置に傾倒させた状態で保持する顕微鏡用架台であって、リング状に成形されて前記支柱と一体に回動し、前記支持軸よりも直径が大きい内周面を有する第一の回動規制部材と、リング状に成形されて前記第一の回動規制部材と前記支持軸との間に配置され、前記支持軸よりも直径が大きく、前記内周面と圧接されて前記支柱の回動を規制する外周面を有する第二の回動規制部材と、前記第一の回動規制部材又は前記第二の回動規制部材を拡縮させて前記内周面と前記外周面とを圧接又は離間させる操作を行う操作部材と、前記支柱を傾倒させた際に当該支柱の前記支持軸の廻りに作用する傾倒方向の応力のモーメントに対して逆方向の反力のモーメントを当該支柱に付与する反力部材と、を備えることを特徴とする。
【００１４】
また、本発明の顕微鏡用架台は、上記の発明において、前記反力部材は、前記支柱と前記顕微鏡用架台との間に掛け渡される引っ張りばねであることを特徴とする。
【００１５】
また、本発明の顕微鏡用架台は、上記の発明において、前記第二の回動規制部材は、端面形状がＣ字状に成形され、前記操作部材の圧接操作により外方へ拡開されることを特徴とする。
【００１６】
また、本発明の顕微鏡用架台は、上記の発明において、前記第二の回動規制部材は、前記端面形状をＣ字状に成形するスリットを挟む一方に固定部が形成されると共に、他方に前記操作部材による操作力の入力部が形成されており、前記操作部材は、回動操作される切替ハンドルと、前記切替ハンドルの回動中心と中心が同軸をなし、前記切替ハンドルの回動操作に伴う回転力を前記第二の回動規制部材に伝えるねじ軸とを有することを特徴とする。
【００１７】
また、本発明の顕微鏡用架台は、上記の発明において、前記操作部材は、前記切替ハンドルの回動操作に伴う前記ねじ軸の回転を直線運動に変換する変換部材によって前記第二の回動規制部材と連結されており、前記変換部材又は前記第二の回動規制部材の一方は、前記変換部材の圧接方向に対応した直線運動に対して当該第二の回動規制部材を拡縮させる方向に傾斜した長孔が前記変換部材と前記第二の回動規制部材との連結部に形成され、前記変換部材又は前記第二の回動規制部材の他方は、前記長孔に係合して前記変換部材と前記第二の回動規制部材とを連結すると共に、前記変換部材の直線運動による前記長孔内の移動によって前記第二の回動規制部材を拡縮させる連結ピンが設けられていることを特徴とする。
【００１８】
また、上述した課題を解決し、目的を達成するために、本発明の顕微鏡用架台は、少なくとも対物レンズと接眼レンズとを有する光学系ユニットを備えた顕微鏡の一部をなし、前記光学系ユニットを設ける支柱を支持軸の廻りに回動自在に支持すると共に、所望の位置に傾倒させた状態で保持する顕微鏡用架台であって、前記支柱を傾倒させた際に当該支柱の前記支持軸の廻りに作用する傾倒方向の応力のモーメントに対して逆方向の反力のモーメントを当該支柱に付与する反力部材を備えることを特徴とする。
【００１９】
また、上述した課題を解決し、目的を達成するために、本発明の顕微鏡は、前記顕微鏡用架台と、前記顕微鏡用架台に支持される支柱と、前記支柱に設けられる前記光学系ユニットとを備えたことを特徴とする。
【発明の効果】
【００２０】
本発明によれば、支持軸よりも直径が大きい第一の回動規制部材の内周面と第二の回動規制部材の外周面とを圧接させて支柱を所望傾倒位置に保持し、圧接面と被圧接面との圧接を解放して支柱を回動させるので、支持軸を外周から把持して摩擦力によって拘束する場合に比べ、顕微鏡用架台を大型化することなく必要な保持力を確保することができるという効果を奏する。
【００２１】
また、本発明によれば、支柱を傾倒させた際に、支柱の重量によって傾倒方向に作用する応力に対して逆方向の反力を支柱に付与する反力部材を備えるので、支柱を小さな力で容易に傾倒操作することができるという効果を奏する。
【図面の簡単な説明】
【００２２】
【図１】図１は、本発明の実施の形態に係る顕微鏡を正面左側から見た斜視図である。
【図２】図２は、本発明の実施の形態に係る顕微鏡を正面右側から見た斜視図である。
【図３】図３は、顕微鏡から電装箱を外した架台の背面図である。
【図４】図４は、電装箱を外した架台を支持軸の中心を通る鉛直面で切断した際の支持軸周辺に配置された部品を示す断面斜視図である。
【図５】図５は、図３に示す架台から支持部材を外した背面図である。
【図６】図６は、保持機構の支持部材、回動規制部材、変換部材及び切替ねじを顕微鏡の正面側から見た斜視図である。
【図７】図７は、支持部材の軸孔部分における被規制部材、回動規制部材及び変換部材を顕微鏡の正面側から見た正面図である。
【図８】図８は、電装箱を外した架台を支持軸の中心を通る鉛直面で切断した際の支持軸周辺に配置された部品を示す断面図である。
【図９】図９は、図７に示す保持機構から被規制部材の一部を除去して示す軸孔部分における被規制部材の被圧接面部分及び回動規制部材の圧接面部分の断面図である。
【図１０】図１０は、図９において切替ねじを操作することにより回動規制部材の圧接面を被規制部材の被圧接面に圧接し、支柱を所望傾倒位置に保持した状態の断面図である。
【図１１】図１１は、上下方向に直立した支柱を水平状態まで９０°傾倒させた図５に対応する背面図であり、支柱から観察光学系ユニットを外した図である。
【図１２】図１２は、架台に対して支柱を所望位置に傾倒させた顕微鏡を正面右側から見た斜視図である。
【発明を実施するための形態】
【００２３】
以下に、本発明の実施の形態に係る顕微鏡用架台及びその架台を備えた顕微鏡を図面に基づいて詳細に説明する。なお、この実施の形態によりこの発明が限定されるものではない。
【００２４】
図１は、本発明の実施の形態に係る顕微鏡を正面左側から見た斜視図である。図２は、本発明の実施の形態に係る顕微鏡を正面右側から見た斜視図である。図３は、顕微鏡から電装箱を外した架台の背面図である。図４は、電装箱を外した架台を支持軸の中心を通る鉛直面で切断した際の支持軸周辺に配置された部品を示す断面斜視図である。
【００２５】
顕微鏡１は、図１及び図２に示すように、顕微鏡１の一部をなす架台３と、架台３に傾倒自在に支持される支柱４と、支柱４に着脱自在に設けられる観察光学系ユニット１０と、架台３の背面に設けられ、試料観察時の調光用の電源や電圧切り替え用のトランス等を含む電装品が収容された電装箱１８とを備えている。ここで、以下の説明において必要がある場合には、図中、Ｘ，Ｙ，Ｚの３軸で示す方向を、それぞれ前後方向、左右方向及び上下方向と呼ぶ。
【００２６】
架台３は、観察光学系ユニット１０が上下方向に設置された支柱４を顕微鏡１の正面から見て時計方向の所望位置に傾倒させることにより、観察光学系ユニット１０の光軸を試料に対して傾斜させ、所望の傾倒角度から試料を観察することを可能とした顕微鏡用の架台である。架台３は、図１に示すように、筐体３ａに保持機構５が設けられると共に、リング状のベース２に設置されている。架台３には、準焦ハンドル６ａの回動操作によって昇降される昇降テーブル６が取り付けられている。昇降テーブル６上には、コンデンサ７及びステージ８等が設置されている。架台３は、顕微鏡１の電装箱１８側から見て支柱４を筐体３ａの前後方向に配置された支持軸３ｂ（図３，図４参照）を中心として反時計回り方向へ傾倒自在に支持しており、背面には、図３及び図４に示すように、保持機構５の支持部材５１が取り付けられている。このとき、支持軸３ｂの中心のステージ８に対する高さは、ステージ８上に載置されるスライドグラス上の試料と同一となるように予め設定されている。そして、架台３には、筐体３ａの下部背面に係止ピン３１，３２（図３，図５参照）が取り付けられている。
【００２７】
支柱４は、傾倒操作用の操作レバー４ａが右側面の略中間に設けられており、顕微鏡１の電装箱１８側から見て図１及び図２に示す直立位置から反時計回り方向へ９０°まで傾倒され、図４に示すように、本体４１と、固定部材４２とを有している。本体４１は、固定部材４２がねじ留めされており、上部前面には、図１及び図２に示すように、観察光学系ユニット１０が着脱自在に取り付けられている。本体４１は、図４に示すように、架台３内に配置される下部に回転中心となる回転部４１ａが形成され、回転部４１ａと支持軸３ｂとの間にベアリング４３が配置されている。固定部材４２は、支持軸３ｂとの間にベアリング４４が配置されると共に、リング状の被規制部材４５が外周に嵌合されている。被規制部材４５は、支柱４と一体に回動する第一の回動規制部材であり、支持軸３ｂよりも直径が大きい内周面である被圧接面４５ａを有している。
【００２８】
ここで、本体４１は、図３、図４及び図３に示す架台から支持部材５１を外した背面図である図５に示すように、架台３内に配置される下部に係止ピン４６，４７が取り付けられ、筐体３ａの下部背面に取り付けた係止ピン３１，３２との間にそれぞれ引っ張りばね４８，４９が掛け渡されている。引っ張りばね４８，４９は、支柱４を傾倒させた際、支柱４の重量によって支持軸３ｂの廻りに作用する傾倒方向の応力のモーメントに対して逆方向の反力のモーメントを支柱４に付与する反力部材である。このため、係止ピン４６，４７は、支柱４を直立させた際に本体４１の下部となる位置に取り付けることが望ましい。
【００２９】
図６は、保持機構全体を示す斜視図である。保持機構５は、所望の位置に傾倒させた状態で保持し、或いは保持を解放する機構であり、図６に示すように、支持部材５１、回動規制部材５２、変換部材５４及び切替ねじ５５を有している。
【００３０】
支持部材５１は、図６に示すように、回動規制部材５２を支持する板状の部材であり、長手方向一側に支持軸３ｂを挿通する軸孔５１ａが形成されている。支持部材５１は、図６に示す面５１ｃを筐体３ａの背面に向けて軸孔５１ａに支持軸３ｂの端部を挿通し、外縁部の適宜箇所を止めねじ５１ｂ（図４参照）によってねじ止めすることで筐体３ａに取り付けられる。
【００３１】
回動規制部材５２は、被規制部材４５と支持軸３ｂとの間に支持軸３ｂと同心に配置される第二の回動規制部材であり、図６及び保持機構の要部を示す正面図である図７に示すように、略半径方向に形成されたスリット５２ａによって端面形状がＣ字状に成形されている。回動規制部材５２は、スリット５２ａを挟む一方に固定部５２ｂが形成され、他方に変換部材５４と連結される入力部５２ｃが形成されている。固定部５２ｂは、図６に示す支持部材５１の裏面側からねじ５２ｄ（図４参照）によってねじ止めすることで支持部材５１に固定され、近傍には軸心と並行に延びる薄肉部５２ｅが形成されている。入力部５２ｃには、切替ハンドル５５ａを回動する切り替え操作の操作力が変換部材５４を介して入力される。回動規制部材５２は、図７及び図８に示すように、外方へ拡開された際に被規制部材４５の被圧接面４５ａに圧接される外周面である圧接面５２ｆを有している。圧接面５２ｆは、支持軸３ｂよりも直径が大きいが、支持部材５１側に配置される裏面側の外周に比べて表面側の外周が僅かに小径に成形されている。ここで、入力部５２ｃには、図９に示すように、連結ピン５３の軸部５３ａが係合する長孔５２ｇが変換部材５４のロッド部５４ａの長手方向に対して斜めに傾斜させて形成されている。長孔５２ｇは、変換部材５４の圧接方向に対応した直線運動に対して回動規制部材５２を拡開させる方向に形成されている。そして、支柱４を傾倒させる場合、回動規制部材５２は、被規制部材４５の被圧接面４５ａと圧接面５２ｆとの圧接を解放し、図８及び図９に示すように、被圧接面４５ａと圧接面５２ｆとの間に僅かな隙間Ｇを形成する。
【００３２】
変換部材５４は、図６に示すように、長手状のロッド部５４ａの一端に入力部５４ｂが形成されると共に、入力部５４ｂ近傍のロッド部５４ａ上部に段状に切り欠いた係合部５４ｃが形成されている。変換部材５４は、ロッド部５４ａの他端で回動規制部材５２の入力部５２ｃと連結ピン５３によって連結され、支持部材５１に取り付けた２本のねじ５６の頭部５６ａが係合部５４ｃに係合している。変換部材５４は、２本のねじ５６の頭部５６ａが係合部５４ｃに係合することによって、切替ハンドル５５ａの回動操作による図６に示す矢印に沿った左右方向の移動が案内される。
【００３３】
切替ねじ５５は、圧接面５２ｆと被圧接面４５ａとを圧接又は離間させる操作を行う操作部材である。切替ねじ５５は、図６に示すように、回動操作される切替ハンドル５５ａと切替ハンドル５５ａの回動中心と中心が同軸をなし、切替ハンドル５５ａの回動操作に伴う回転力を回動規制部材５２に伝えるねじ軸５５ｂとを有している。切替ねじ５５は、ねじ軸５５ｂの先端が入力部５４ｂの側面に螺着されている。ここで、切替ねじ５５は、切替ハンドル５５ａとねじ軸部５５ｂとの間で支持部材５１に係止される。このため、切替ねじ５５は、切替ハンドル５５ａを矢印Ａ1で示す方向へ回動する圧接操作をすると、ねじ軸５５ｂが入力部５４ｂにねじ込まれて、変換部材５４が矢印Ａ2で示す左方へ移動する。一方、切替ハンドル５５ａを図中矢印とは逆方向へ回動する圧接解放操作をすると、切替ねじ５５は、ねじ軸５５ｂが入力部５４ｂから脱出し、変換部材５４が図中右方へ移動する。
【００３４】
観察光学系ユニット１０は、本体１１の上部後面に接眼レンズ１２が設けられ、本体１１下部のレボルバ１３には前後方向に配置される対物レンズ１４，１５が着脱自在に取り付けられている。
【００３５】
以上のように構成される顕微鏡１は、通常は、支柱４を図１及び図２に示す直立位置に保持した状態で準焦ハンドル６ａを回動操作しながら接眼レンズ１２の焦点を合わせ、ステージ８上の試料を観察する。
【００３６】
そして、異なる角度から試料を観察する必要があるときには、切替ねじ５５の切替ハンドル５５ａを図６に示す矢印方向と反対方向へ回動して支柱４の直立位置への保持を解放し、傾倒操作用の操作レバー４ａを操作して支柱４を所望傾倒位置まで倒す。このとき、架台３は、支持軸３ｂの中心のステージ８に対する高さが、ステージ８上に載置されるスライドグラス上の試料と同じ高さとなるように予め設定されている。このため、顕微鏡１は、支柱４を傾倒しても対物レンズ１４，１５とステージ８上に載置されるスライドグラス上の試料との距離が大きく変化しないので、準焦ハンドル６ａによって接眼レンズ１２の焦点を微調整するだけでよい。
【００３７】
ここで、本体４１は、図３〜図５に示したように、係止ピン３１と係止ピン４６との間に引っ張りばね４８が掛け渡され、係止ピン３２と係止ピン４７との間に引っ張りばね４９が掛け渡されている。このため、操作レバー４ａを操作して支柱４を傾倒操作する際、上下方向に直立した支柱４を傾倒させてゆくと、引っ張りばね４８，４９は、支柱４に作用する傾倒方向の応力に対して、傾倒させた支柱４の角度に対応した逆方向の反力を支柱４に付与する。このように、引っ張りばね４８，４９は、傾倒角度に対応した起立方向の反力を支柱４に付与する。従って、支柱４を、図１及び図２に示す直立状態から、例えば、図１１に示す水平状態まで傾倒させた場合、引っ張りばね４８，４９は、最大に伸長され、起立方向に向かう最大の反力を支柱４に付与する。このため、顕微鏡１は、支柱４の重量が大きくても、小さな力で支柱４を容易に傾倒操作することができるという利点がある。
【００３８】
このようにして支柱４を所望位置まで倒した後、切替ねじ５５の切替ハンドル５５ａを図６に示す矢印方向へ回動し、図１２に示すように、支柱４を所望傾倒位置に保持する。このとき、図９に示したように、入力部５２ｃは、連結ピン５３の軸部５３ａが係合する長孔５２ｇが変換部材５４のロッド部５４ａの長手方向に対して斜めに傾斜させて形成されている。このため、変換部材５４が、矢印で示すように左方へ移動すると、連結ピン５３の軸部５３ａが長孔５２ｇに案内されて左下方へ移動する。
【００３９】
すると、回動規制部材５２は、長孔５２ｇを左方へ移動する連結ピン５３の軸部５３ａによって入力部５２ｃが図９に白抜き矢印で示すように僅かに上方へ押し上げられる。このとき、回動規制部材５２は、固定部５２ｂと入力部５２ｃとの間にスリット５２ａが形成され、固定部５２ｂで支持部材５１にねじ止めされている。このため、回動規制部材５２は、外方へ拡開され、図１０に示すように、圧接面５２ｆが被規制部材４５の被圧接面４５ａに圧接される。この結果、被圧接面４５ａと圧接面５２ｆとの間の僅かな隙間が塞がれ、本体４１は、被規制部材４５と共に支持軸３ｂ廻りの回動、従って支柱４の傾倒が規制され、支柱４が所望傾倒位置に保持される。
【００４０】
このとき、図１０に示すように、回動規制部材５２は、圧接面５２ｆの直径が支持部材５１の軸孔５１ａ、従って軸孔５１ａに挿通される支持軸３ｂの直径よりも大きく形成されている。このため、支持軸３ｂを外周から摩擦力によって拘束する場合に比べて、被圧接面４５ａと圧接面５２ｆとの間に大きな接触面が形成される。この結果、顕微鏡１は、架台３を大型化しなくとも必要な保持力を容易に確保することができ、傾倒した支柱４を大きな保持力で保持することができる。
【００４１】
尚、上記実施の形態は、反力部材として係止ピン３１と係止ピン４６との間に掛け渡した引っ張りばね４８や係止ピン３２と係止ピン４７との間に掛け渡した引っ張りばね４９を使用した。しかし、反力部材は、引っ張りばねに限定されるものではなく、押しばね、ねじりコイルばね、ガススプリング、オイルダンパ或いはカウンタウェイト等を使用することができる。
【００４２】
また、上記実施の形態は、切替ねじ５５と回動規制部材５２との間を変換部材５４によって連結する場合について説明した。しかし、切替ねじ５５のねじ軸５５ｂの長さを、ねじ軸５５ｂの先端が入力部５２ｃを貫通して固定部５２ｂに到る長さに設定し、固定部５２ｂには、ねじ軸５５ｂ先端を受け入れるばか穴を形成し、入力部５２ｃの部分には雌ねじを形成し、切替ハンドル５５ａを回動操作することでねじ軸５５ｂによって入力部５２ｃを固定部５２ｂに対して拡開させるようにしてもよい。このようにすると、保持機構５は、切替ねじ５５を支持部材５１に係止する必要や、変換部材５４を使用する必要がなくなり、構成を簡単にすることができる。
【００４３】
更に、上記実施の形態は、長孔５２ｇを回動規制部材５２に形成し、連結ピン５３を変換部材５４側に設けたが、設計によっては、長孔を変換部材５４側に形成し、連結ピンを回動規制部材５２側に設けてもよい。
【００４４】
また、上記実施の形態は、回動規制部材５２を拡開させて圧接面５２ｆを被規制部材４５の被圧接面４５ａに内側から圧接させることで、支柱４を所望傾倒位置に保持した。しかし、これとは逆に構成し、被規制部材４５に略半径方向にスリットを形成することによって被規制部材４５を縮小させ、被圧接面４５ａを回動規制部材５２の圧接面５２ｆに外側から圧接させることで、支柱４を所望傾倒位置に保持するようにしてもよい。この場合、回動規制部材５２は、スリットのないリング状に成形し、被規制部材４５は、略半径方向に形成されたスリットによって端面形状をＣ字状に成形し、スリットを挟む一方に固定部を形成すると共に、他方に変換部材５４と連結される入力部を形成し、固定部で支持部材５１に取り付けるようする。
【産業上の利用可能性】
【００４５】
以上のように、本発明の顕微鏡用架台及びその架台を備えた顕微鏡は、支柱を所望傾倒位置に保持する際、従来よりも大きな保持力で所望傾倒位置に保持するのに有用であり、また、支柱の傾倒操作に際し、小さな力で容易に操作するのに有用である。
【符号の説明】
【００４６】
１  顕微鏡
２  ベース
３  架台
３１，３２  係止ピン
４  支柱
４１  本体
４２  固定部材
４３  ベアリング
４４  ベアリング
４５  被規制部材
４６，４７  係止ピン
４８，４９  引っ張りばね
５  保持機構
５１  支持部材
５２  回動規制部材
５２ｇ  長孔
５３  連結ピン
５４  変換部材
５５  切替ねじ
５６  ねじ
６  昇降テーブル
７  コンデンサ
８  ステージ
１０  観察光学系ユニット
１１  本体
１２  接眼レンズ
１３  レボルバ
１４，１５  対物レンズ
１８  電装箱
Ｇ  隙間
【図１】
2011154137.tif 000003
【図２】
2011154137.tif 000004
【図３】
2011154137.tif 000005
【図４】
2011154137.tif 000006
【図５】
2011154137.tif 000007
【図６】
2011154137.tif 000008
【図７】
2011154137.tif 000009
【図８】
2011154137.tif 000010
【図９】
2011154137.tif 000011
【図１０】
2011154137.tif 000012
【図１１】
2011154137.tif 000013
【図１２】
2011154137.tif 000014